(57)【要約】耐火材料層の間の寝具材料を仕切る難燃性マットレス。マットレスは、内部の支持区画と、内部の支持区画の少なくとも１つの側部に隣接した第１の耐火材料層と、第１の耐火材料層に隣接した少なくとも１つのクッション材料層と、少なくとも１つのクッション層に隣接した第２の耐火材料層とを含み、第２の耐火材料層は、第１の耐火材料層に対して遠位にある。【選択図】図３
2008513050.tif 000002
【特許請求の範囲】
【請求項１】
内部の支持区画と、
前記内部の支持区画の少なくとも１つの側部に隣接した第１の耐火材料層と、
前記第１の耐火材料層に隣接した少なくとも１つの材料層と、
前記少なくとも１つの材料層に隣接した第２の耐火材料層と、を含む難燃性マットレスであって、
前記第２の耐火材料層は、前記第１の耐火材料層に対して遠位にある、
難燃性マットレス。
【請求項２】
前記第１の耐火材料層に隣接した前記少なくとも１つの材料層は、可燃性である、
請求項１に記載の難燃性マットレス。
【請求項３】
前記第１の耐火材料層に隣接した前記少なくとも１つの材料層は、クッション材料である、
請求項１に記載の難燃性マットレス。
【請求項４】
前記第１の耐火材料層に隣接した前記少なくとも１つのクッション材料層は、発泡体製である、
請求項３に記載の難燃性マットレス。
【請求項５】
前記内部の支持区画は、バネ、空気、水、繊維、又は発泡体からなる群から選択される材料が埋め込まれた、
請求項１に記載の難燃性マットレス。
【請求項６】
第２の材料層が、前記少なくとも１つの材料層に対して遠位にある前記第２の耐火材料層に隣接して置かれた、
請求項１に記載の難燃性マットレス。
【請求項７】
前記第２の材料層は、クッション材料である、
請求項６に記載の難燃性マットレス。
【請求項８】
前記第２のクッション材料層は、ティッキングである、
請求項７に記載の難燃性マットレス。
【請求項９】
前記第２のクッション材料層は、発泡体製である、
請求項７に記載の難燃性マットレス。
【請求項１０】
少なくとも１つの布張り上層が、前記内部の支持区画の前記少なくとも１つの側部に隣接し、
前記第１の耐火材料層は、前記内部の支持区画の前記少なくとも１つの側部に対して遠位にある、前記少なくとも１つの布張り上層に隣接する、
請求項１に記載の難燃性マットレス。
【請求項１１】
前記内部の支持区画は、外周部を有し、難燃性材料の層が、前記外周部を囲む、
請求項１に記載の難燃性マットレス。
【請求項１２】
前記マットレスが、
外縁部と、
前記マットレスの前記外縁部の内側に、前記第２の耐火材料層に装着されたピロートップ層と、
を有する、
請求項１に記載の難燃性マットレス。
【請求項１３】
前記内部の支持区画は、前記少なくとも１つの側部と反対の第２の側部を有し、
第３の耐火材料層が、前記内部の支持区画の前記第２の側部に隣接して置かれ、
少なくとも１つの材料層が、前記第３の耐火材料層に隣接し、
第４の耐火材料層が、前記第３の耐火材料層から遠位にある前記第２の材料層に隣接する、
請求項１に記載の難燃性マットレス。
【請求項１４】
前記少なくとも１つの材料層は、クッション材料である、
請求項１３に記載の難燃性マットレス。
【請求項１５】
前記マットレスは、前記マットレスの上部層に固定された少なくとも１つの追加の可燃材料層を含み、
前記少なくとも１つの追加の可燃材料層は、前記マットレスの外周部の内側の前記上部層に接合され、
第２の耐火材料層が、前記少なくとも１つの追加の層が前記マットレスの前記上部層に接合するところに隣接して前記マットレスの長さに沿って延在し、
少なくとも１つの可燃材料層が、前記内部の支持区画の近位にある、前記第２の耐火材料層に隣接して置かれ、
第１の耐火材料層が、前記可燃材料と前記内部の支持区画との間の前記少なくとも１つの可燃材料層の内側に置かれた、
請求項１に記載の難燃性マットレス。
【請求項１６】
６つの側部を有する内部の支持区画と、
前記内部の支持区画のそれぞれの側部に隣接した第１の難燃性材料層と、
前記内部の支持区画のそれぞれの側部の前記第１の難燃性材料層に隣接した少なくとも１つの材料層と、
前記第１の難燃性材料層に対して遠位にある前記内部の支持区画のそれぞれの側部の前記少なくとも１つの材料層に隣接した第２の難燃性材料層と、
を含む難燃性マットレス。
【請求項１７】
前記少なくとも１つの材料層は、クッション材料である、
請求項１６に記載の難燃性マットレス。
【請求項１８】
前記クッション材料は、発泡体である、
請求項１７に記載の難燃性マットレス。
【請求項１９】
少なくとも１つの布張り上層が、前記内部の支持区画のそれぞれの側部に隣接し、
前記第１の難燃性材料層は、前記内部の支持区画の前記側部から遠位にある前記少なくとも１つの布張り上層に隣接する、
請求項１６に記載の難燃性マットレス。
【請求項２０】
内部の支持区画と、
第１の側部と第２の側部とを有する耐火絶縁層であって、前記第１の側部が、前記内部の支持区画の少なくとも１つの側部に隣接した、耐火絶縁層と、
前記耐火層の前記第２の側部に隣接した第１の材料層と、
第１の側部と第２の側部とを有するキルト層であって、前記キルト層の前記第１の側部が、前記耐火層から遠位にある前記第１の材料層に隣接した、キルト層と、
前記キルト層の前記第２の側部に隣接した第２の材料層と、
前記第２の材料層に隣接し、かつ前記キルト層から遠位にある第２の耐火絶縁層と、
前記第２の耐火層に隣接した外部のティッキング層と、
を含む難燃性マットレス。
【請求項２１】
前記第１の及び第２の材料層は、クッション材料である、
請求項２０に記載の難燃性マットレス。
【請求項２２】
前記クッション材料は、発泡体である、
請求項２１に記載の難燃性マットレス。
【請求項２３】
耐火性マットレスを製造する方法であって、
内部の支持区画を設けるステップと、
前記内部の支持区画の第１の側部に第１の耐火材料層を配置するステップと、
前記第１の耐火材料層に隣接した少なくとも１つの材料層を位置決めするステップと、
前記第１の耐火材料層に対して遠位にある前記少なくとも１つの可燃材料層上に第２の耐火材料層を整列させるステップと、
前記内部の支持区画に対して遠位にある前記第２の耐火材料層の外側に第２の材料層を配置するステップと、
を含む方法。
【請求項２４】
前記少なくとも１つの材料層及び前記第２の材料層は、可燃性である、
請求項２３に記載の方法。
【請求項２５】
前記少なくとも１つの材料層及び前記第２の材料層は、クッション材料である、
請求項２３に記載の方法。
【請求項２６】
前記クッション材料は、発泡体である、
請求項２５に記載の方法。
【発明の詳細な説明】
【技術分野】
【０００１】
発明の分野
本発明は、マットレス、特に、難燃性（a fire-retardant）マットレス及びその製造方法に関する。
【背景技術】
【０００２】
発明の背景
少なくとも１９６０年代後期以降、マットレス製造業者は、寝室火災に伴うマットレスの火災に関心を持ってきた。火災の殆どは、人々がベッドで喫煙したことによる、マットレスでのタバコの点火に起因すると判断されており、この間のほぼ３０,０００件の寝室火災は、マットレスに起因すると考えられる。さらなる２２,０００件の火災は、マットレスの裸火の点火に起因すると考えられる。多数の火災がタバコの喫煙に起因すると考えられることを鑑みて、マットレスの上で起きた火災の拡がりを抑えるための連邦標準が導入された。
【０００３】
１９８０年代後期には、マットレス火災の主な原因として、裸火の点火がタバコの点火を越えた。後に、いくつかの研究により、寝室火災の主な発生源は、マットレスの上に置かれた寝具類の燃焼であると判断された。さらに、これらの火災の大多数が、子供たちがライタ、マッチ、及びろうそくなどの点火源を使って遊んだため、シート、毛布、及び枕などのベッド上の付属品が点火したことに起因することが分かった。
【０００４】
このような調査の結果、マットレス火災についての理解を向上させるための研究が行われた。これらの研究により、燃えている寝具類の点火源を正確にかつ首尾一貫してシミュレートし得る試験装置が開発された。
【０００５】
試験では、スチール製のツインサイズのベッドフレームの上にマットレス／土台を配置して、受け台の底部に形成されているセメントの繊維板の表面上に載るようにした。燃えている寝具類の熱の衝撃を模倣するために、１対のガスバーナが設計された。１つのバーナはマットレス面の上部に当たり、第２のバーナはマットレス側の近くに当たるよう置かれた。側部のバーナによって作り出される炎は５０秒間燃焼することが可能であり、上部のバーナからの炎は７０秒間燃焼した。これらのバーナによって作り出された火災の監視が行われ、代表的なマットレスが約３分でフラッシュオーバ値に達することが観察された。
【０００６】
これらの研究の結果、カリフォルニアでは、マットレスでの火災の場合、火災の最初の１０分間に熱が２５メガジュールを超えないこと、又は３０分間に渡って２００ｋＷの放熱量の最高定格出力を超えないことを命じる規制法（技術会報６０３）が設立された。この基準に達するための問題点は、バリアを難燃性のものにすると、マットレスの表面が固くなり、触り心地が良くないので、マットレスの外側に難燃性バリアを配置することが困難なことである。このため、マットレスの外部層は、通常、かなり簡単に燃焼する、かつ犠牲材料と考えられる、ある種のキルト又はティッキング材料である。
【０００７】
住宅の寝室火災においては、異なる３種類の人々が、火災により危険にさらされる。これらの人々の第１は、火災が起きた、かつ火災に極めて近い部屋の中にいる人である。この人は、通常、マットレスの上にいる者である。第２の人は、火災が起きた部屋の中ではあるが、火災にそれ程近くない所にいる。これは、マットレスに火がついた寝室の椅子に座っている者、又は火災を起こして、ドレッサの後ろに隠れている子供であり得る。第３の人は、火災が起きた部屋の中におらず、また火災にそれ程近くない者である。この中には、マットレスに火がついた家の中の別の部屋にいる者が含まれる。
【０００８】
技術会報６０３において発布された規制法では、危険にさらされた人々が火災を発見して、これから逃げるための、貴重な３０分の枠を規定している。さらに、低い定格出力の放熱量制限により、火災の蔓延及び強度が実質的に遅延する。これらの要件が組み合わさると、住宅の他の箇所への素早いフラッシュオーバの危険性が著しく減少し、したがって、消費者が寝室火災から逃げる機会が実質的に増す。
【０００９】
火災の大きさ及び蔓延速度を減少させることにより、ベッド火災の死傷者を２分の１〜３分の２だけ減少させることができる。これは、特に火災にそれ程近くない個人が、住宅から逃げるための余分な時間ができるためである。さらに、隔絶された燃焼である場合には（そのような場合がもしあれば、であるが）、マットレスの上にいる人が逃げるための追加時間もできる。
【００１０】
実際には、マットレス製造業者は、火災の危険性の減少に対する２つの手法、即ち、（ａ）点火が持続する可能性を減少させること、及び（ｂ）点火による結果を軽減することのいずれか又はその両方に従う。これらの目標を達成するのを助けるために、代表的な耐火性（a fire-resistant）マットレスは、マットレスの外部層の近くに置かれた耐火バリアを備えており、この外部層は、キルト又はティッキング材料製である。しかし、この耐火バリアは、大抵機能しているものであるが、バリアが故障した場合には、火災がマットレスを通って内部の支持区画へと素早く拡がるのを防止する方法はない。これにより、フラッシュオーバが生じ、マットレス全体が炎に包み込まれる。このため、第１の耐火バリアに侵入した火災の拡がりを鈍化させることができることは、当業界においては重要な改良となろう。
【発明の開示】
【課題を解決するための手段】
【００１１】
発明の簡単な概要
本発明は、マットレスの火災の蔓延を著しく減少させる、耐火層の間で仕切られた材料を有する耐火性マットレスに関する。一実施形態においては、耐火性マットレスは、内部の支持区画と、内部の支持区画の少なくとも１つの側部に隣接した第１の耐火材料層と、第１の耐火材料層に隣接した少なくとも１つの材料層と、少なくとも１つの層に隣接した第２の耐火材料層とを含み、第２の耐火材料層は、第１の耐火材料層に対して遠位にある。
【００１２】
本発明のさらに別の実施形態においては、内部の支持区画は、６つの側部を有し、第１の難燃性材料層が、内部の支持区画のそれぞれの側部に隣接し、少なくとも１つの材料層が、内部の支持区画のそれぞれの側で第１の難燃性材料層に隣接し、第２の難燃性材料層が、第１の難燃性材料層に対して遠位にある内部の支持区画のそれぞれの側で少なくとも１つの材料層に隣接する。
【００１３】
本発明のさらに別の実施形態においては、マットレスは、内部の支持区画と、第１の側部と第２の側部とを有する耐火絶縁層（第１の側部は、内部の支持区画の少なくとも１つの側部に隣接する）と、耐火層の第２の側部に隣接した第１の材料層と、第１の側部と第２の側部とを有するキルト層（キルト層の第１の側部は、耐火層から遠位にある第１の材料層に隣接する）と、キルト層の第２の側部に隣接した第２の材料層と、第２の材料層に隣接しておりかつキルト層から遠位にある第２の耐火性布張り層と、第２の耐火層に隣接した外部のティッキング層とを含む。
【００１４】
本発明はまた、耐火性マットレスを製造する方法を含む。
【００１５】
本発明の耐火性についての利点は、本明細書に記載されている本発明についての記載より明らかとなろう。
【発明を実施するための最良の形態】
【００１６】
発明の詳細な説明
図２〜図７は、マットレス１０に火がついた結果、マットレス１０が炎に完全に包み込まれるのを遅延させ、防止できるようにもするために、耐火材料層１４、１８を使用してマットレス１０内の材料１６を仕切る、耐火性マットレス１０に関する本発明を示している。
【００１７】
図１に示されているように、従来の耐火性又は難燃性マットレス１００には、１つの耐火性材料層１７が含まれる。この耐火層１７は、マットレス１００の外部層１９の直ぐ下ではないにしても、この近くに置かれている。たとえば、マットレス１００の上の寝具（図示せず）に火がついたことに起因するマットレス火災の場合には、炎は、キルト又はティッキングの可燃性の外部層１９を通って燃焼する。耐火層１７は、大抵機能しているものであるが、炎が層１７に侵入した場合（即ち、層１７を通って燃焼した場合）、火災がマットレス１００の残りの部分を通って素早く拡がるのを防止するための、さらなる保護又はバリアがなく、これにより、マットレス１００の燃焼速度が高くなる。先行技術のさらに別の実施形態においては、外部層１９自体が、耐火性であり得る。この場合、図１の１７などの、第２の耐火層は不要となる。
【００１８】
本発明において、フラッシュオーバとは、部屋の中で燃えている物品が十分なエネルギを作り出して、部屋のすべての構成要素を殆ど同時に燃焼させる時点のことである。この時点は、通常、標準的な大きさの寝室においては、約１,０００ｋＷであると考えられる。さらに、本発明においては、用語「耐火性」と「難燃性」とは、交換可能に使用される。
【００１９】
図２は、耐火性マットレス１０が、内部の支持区画１２と、内部の支持区画１２の少なくとも１つの側部１３に隣接した第１の耐火材料層１４と、第１の耐火材料層１４に隣接した少なくとも１つの材料層１６と、少なくとも１つの層１６に隣接した第２の耐火材料層１８とを含み、第２の耐火材料層１８が第１の耐火材料層１４に対して遠位にある、本発明の一実施形態を示している。このような層１６のそれぞれの側部の耐火材料層１４、１８の使用により、火災が、耐火層１４、１８の１つに侵入しても、マットレス１０全体に拡がるのを封じ込めるのを助ける区画２０が作られる。
【００２０】
耐火層１４、１８の間で仕切られた少なくとも１つの材料層１６は、可燃材料及びクッション材料であり得る。さらに、材料層１６は、耐火性化学物質で処理された可燃材料であり得る。
【００２１】
船が浸水した場合にも防水ドアにより完全な防水性が実現されるのとほぼ同様に、材料１６を仕切ることにより、マットレス１０の完全な耐火性が生じる。つまり、一定の区画内への浸水を封じ込めることにより、船が完全に浸水するのが防止され、これにより、船全体が助かる機会が増える。本発明によるマットレス１０においては、火災が、層の１つに侵入した場合にも、耐火層１４、１８の間の区画２０内に封じ込められる。
【００２２】
図２に示されているように、本発明によるマットレス１０の外部層２２のさらに内側に、かつ第２の耐火層１８より内部の支持区画１２の近くに、置かれた第１の耐火材料層１４の使用により、さらなる火災保護層が設けられ、これにより、火災の進行が鈍化し、個人がマットレスの置かれた部屋又は建物から逃げるための追加の時間ができる。
【００２３】
図２、図３、図４、図６、及び図８は、少なくとも１つの材料層１６が、内部の支持区画１２の１つの側１３に位置決めされた、第１の耐火材料層１４と第２の耐火材料層１８との間に置かれた、本発明によるマットレス１０の一実施形態を示している。この種のマットレス１０は、内部の支持区画１２の上部側が、底部又は第２の側部より厚い布張り材料で盛り上がっており、片面マットレスとして公知である。このような片面マットレスにおいては、睡眠用の側部と反対の内部の支持区画１２の側部が、１つ以上の布張り層で覆われることがある。しかし、これは睡眠用の面として設計されているわけではない。勿論、図４に示されているように、本発明の範囲及び趣旨から逸脱することなく、発泡体、キルト、及び布張り上部層などの、追加の材料層２３が、耐火材料層１４、１８の間に含まれることがある。
【００２４】
使用中に、図２〜図９に示されているマットレス１０の上部で火災が起きた場合には、炎は、即座に、キルト又はティッキングの外部層２２、及び他の任意の犠牲可燃材料（例えば、図４及び図６の２５）に貫通する。しかし、炎が第２の耐火材料層１８に達すると、その貫通速度は、完全には停止しないまでも、鈍化する。
【００２５】
マットレス１０内で使用される耐火材料層１４、１８は、バリアシート又は嵩高い綿シートとして製造され得る。層１４、１８は、合成繊維又は天然繊維の混合であり得る。このような耐火層１４、１８は、バソフィルファイバー（Ｂａｓｏｆｉｌ  Ｆｉｂｅｒｓ）、ＬＬＣ、レガットアンドプラット（Ｌｅｇｇｅｔｔ  ＆  Ｐｌａｔｔ）、及びジョーンズファイバー（Ｊｏｎｅｓ  Ｆｉｂｅｒ）を含むが、これらに限定されるものではない、数社によって製造されている。
【００２６】
火災が、耐火層の裂け、材料の傷、又は他の任意の理由により、第２の耐火材料層１８に侵入した場合、第２の耐火層１８の直ぐ下の１つ又は複数の材料層１６を通って拡がる。火災は、第１の耐火材料層１４に達するまで引き続き制御された形で進行し、ここで再び鈍化し、これにより、マットレス１０全体が巻き添えになるのが遅延される。
【００２７】
第１の（即ち、内部の）耐火材料層１４によって生じた、この追加の保護バリアが、２つの耐火材料層１４、１８によって境界付けられた区画２０内に火災を封じ込めるのを助ける。このように火災を仕切ることにより、マットレス１０が火災に完全に包み込まれることが鈍化し又は防止され、これにより、マットレスのある部屋又は建物の中にいる居住者が安全なところに逃れる時間が長くなる。
【００２８】
１００％確実なフールプルーフではないが、第１の（即ち、内部の）耐火材料層１４によって提供される特別な保護は、火災によって作り出される熱の量を減少させるのを助け、これにより、マットレスが、２００ｋＷを超えることなく３０分間燃焼することが可能となる。
【００２９】
本発明によるマットレスの内部の支持区画１２は、バネ、空気、水、発泡体、又は繊維を含む、当業者に公知の任意の好適な材料が埋め込まれることがある。図２〜図５、図８、及び図９は、バネ２４が埋め込まれた内部の支持区画１２を示し、図６及び図７は、発泡体、繊維、又は他の材料２６が埋め込まれた区画１２を示している。材料層２３はまた、図４〜図７に示されているように、少なくとも１つのクッション材料層１６に対して遠位にある又は近位にある第２の耐火材料層１８に隣接して置かれることがある。クッション材料１６はまた、発泡体及び／又は繊維を含む、任意の好適な材料製であり得る。
【００３０】
図３に示されているように、本発明の別の実施形態においては、少なくとも１つの布張り層３０は、内部の支持区画１２の少なくとも１つの側部１３に隣接し、第１の耐火材料層１４は、少なくとも１つの布張り層３０に隣接しているが、内部の支持区画１２の少なくとも１つの側部１３に対して遠位にある。このことにより、１つ以上の材料層３０を、内部の支持区画１２と第１の耐火材料層１４との間に置くことができる。内部の支持区画１２はまた、図５及び図７に示されているように、難燃性材料層３８によって囲まれた外周部１１を有することがある。
【００３１】
図５及び図７に示されているように、本発明のさらに別の実施形態においては、内部の支持区画１２は、少なくとも１つの側部１３と反対の第２の側部１５を有する。第３の耐火材料層３２は、内部の支持区画１２の第２の側部１５に隣接して置かれ、少なくとも１つの材料層３４は、第３の耐火材料層３２に隣接し、第４の耐火材料層３６は、第３の耐火材料層３２から遠位にある少なくとも１つの材料層３４に隣接している。この種のマットレス１０は、クッション材料が内部の支持区画１２の両側に置かれており、両面マットレスとして公知である。
【００３２】
内部の支持区画１２の第２の側部１５の少なくとも１つの材料層３４を仕切ることは、第１の側部１３で仕切ることと同様に機能する。つまり、第３の及び第４の耐火材料層３２、３６は、２つの防水ドアが船上の特定の区画内への浸水を封じ込める場合とほぼ同様に、これらの間の区域内に火災を封じ込めるよう作用する。片面マットレスと同様に、第３の耐火材料層３２と第４の耐火材料層３６との間に置かれた少なくとも１つの材料層３４は、発泡体を含むが、これに限定されるものではない、可燃材料及び／又はクッション材料製であり得る。層３４はまた、耐火性化学物質で処理された可燃材料製であり得る。
【００３３】
図８は、マットレス１０が、内部の支持区画１２と、第１の側部が内部の支持区画１２の少なくとも１つの側部に隣接するよう位置決めされた第１の側部と第２の側部とを有する耐火絶縁層１４と、第１の耐火層１４の第２の側部に隣接した第１の材料層１６と、キルト裏地層４２の第１の側部が第１の耐火層１４からさらに遠位にある第１の材料層１６に隣接するよう位置決めされた第１の側部と第２の側部とを有するキルト裏地層４２と、キルト裏地層４２の第２の側部に隣接した第２の材料層４４と、第２の材料層４４に隣接して置かれており、かつキルト層４２から遠位にある第２の耐火絶縁層１８と、第２の耐火層１８に隣接した、ティッキング層などの外部層４６とを有する、本発明のさらに別の実施形態を示している。繰り返すが、寝具材料１６、４２、４４が置かれた区画２０を確立するために、第１の及び第２の耐火材料層１４、１８を使用してマットレスを盛り上がらせた、このような配置は、マットレスの火災の蔓延を減少させる助けとなる。
【００３４】
図９は、マットレス１０が、マットレス１０の上部層５０に固定された、少なくとも１つの追加の材料層４８を含む、本発明のさらに別の実施形態を示している。ピロートップ又はユーロトップマットレスとして公知の、この実施形態においては、少なくとも１つの追加の可燃材料層４８は、マットレス１０の外周部の内側の上部層５０に接合される。これにより、マットレス１０の上部層５０と少なくとも１つの追加の層４８との間に、空所又は「口を開けたような部分（ｓｍｉｌｅ）」５２が作られる。追加の耐火材料層２８が、少なくとも１つの追加の層４８に隣接してマットレス１０の長さに沿って延在する。少なくとも１つの材料層１６は、内部の支持区画１２の近位にある、追加の耐火材料層２８の隣に置かれる。第１の耐火材料層１４は、可燃材料１６と内部の支持区画１２との間の少なくとも１つの可燃材料層１６の内側に置かれ、第２の耐火材料層１８は、２つの可燃材料層１６の間に置かれる。
【００３５】
本発明はまた、耐火性マットレスを製造する方法を含む。この製造方法は、（ａ）内部の支持区画を設けるステップと、（ｂ）内部の支持区画の第１の側部に第１の耐火材料層を配置するステップと、（ｃ）第１の耐火材料層に隣接した少なくとも１つの可燃材料層を位置決めするステップと、（ｄ）第１の耐火材料層に対して遠位にある少なくとも１つの可燃材料層上に第２の耐火材料層を整列させるステップと、（ｅ）内部の支持区画に対して遠位にある第２の耐火材料層の外側に第２の犠牲可燃材料層を配置するステップとを含む。これらの材料は、それぞれ独立している場合もあれば、キルトの中に封じ込められている場合もある。
【００３６】
本明細書に引用した、刊行物、特許出願、及び特許を含む、すべての参考文献は、参照により援用されており、かつその全体が本明細書に記載されている、それぞれの参考文献が、個々にかつ具体的に示されているのと同様に、参照により本明細書に援用されている。
【００３７】
単数形（「ａ」及び「ａｎ」及び「ｔｈｅ」）の用語の使用、及び本発明について（特に頭記の特許請求の範囲について）記載する場合の同様の参照先は、本明細書において別段の記載がない限り、又は内容が明らかに矛盾していない限り、単数形及び複数形の両方を含むものと解釈される。本明細書の値の範囲についての記載は、本明細書において別段の記載がない限り、その範囲内に包含されるそれぞれの別個の値を個々に言及するための単なる省略表現としてのものであり、それぞれの別個の値は、本明細書に個々に言及されているかのように本明細書内に援用されている。本明細書に記載されているすべての方法は、本明細書において別段の記載がない限り、又は内容が明らかに矛盾していない限り、任意の好適な順序で実施され得る。任意の及びすべての例、又は本明細書に記載されている文言の例（例えば、「などの」）の使用は、単に本発明をより良く例示するためであり、別段の請求がない限り、本発明の範囲に対して限定を課すものではない。本明細書における文言は、請求されていない要素が本発明を実施するのに不可欠なものであることを示すものと解釈してはならない。
【００３８】
発明者らが本発明を実施する際の公知の最良の形態を含む、本発明の好ましい実施形態が、本明細書に記載されている。例示されている実施形態は、単なる例であり、本発明の範囲を限定するものと解釈してはならないことを理解されたい。
【図面の簡単な説明】
【００３９】
【図１】先行技術に従って構築されたマットレスの一部分を示す破断斜視図である。
【図２】本発明の原理に従って作られたマットレスの一実施形態の一部分を示す破断斜視図である。
【図３】本発明の原理に従って構築されたマットレスの上部部分を示す破断斜視図である。
【図４】本発明の原理に従って作られた片面マットレスの一実施形態を示す断面図である。
【図５】２つの耐火材料層の間で仕切られた可燃材料で保護されたマットレスの外周部を示す、本発明の原理に従って作られた両面マットレスの一実施形態を示す断面図である。
【図６】発泡体が埋め込まれた内部の支持区画を示す、本発明の原理に従って作られたマットレスの片面の実施形態を示す断面図である。
【図７】発泡体が埋め込まれた内部の支持区画、及び可燃材料を仕切る２つの耐火材料層の外周部を示す、本発明の原理に従って作られたマットレスの両面の実施形態を示す断面図である。
【図８】本発明に従って構築されたマットレスの上部部分を示す破断斜視図である。このマットレスは、２つの耐火材料層の間に複数の可燃材料層を有する。
【図９】ピロートップマットレスを示す断面図である。
【図１】
2008513050.tif 000003
【図２】
2008513050.tif 000004
【図３】
2008513050.tif 000005
【図４】
2008513050.tif 000006
【図５】
2008513050.tif 000007
【図６】
2008513050.tif 000008
【図７】
2008513050.tif 000009
【図８】
2008513050.tif 000010
【図９】
2008513050.tif 000011
【手続補正書】
【提出日】平成19年1月4日(2007.1.4)
【手続補正１】
【補正対象書類名】特許請求の範囲
【補正対象項目名】全文
【補正方法】変更
【補正の内容】
【特許請求の範囲】
【請求項１】
内部の支持区画と、
前記内部の支持区画の少なくとも１つの側部に直接接触している第１の耐火材料層と、
前記第１の耐火材料層に隣接した少なくとも１つの材料層と、
前記少なくとも１つの材料層に隣接した第２の耐火材料層とを含む難燃性マットレスであって、
前記第２の耐火材料層が、前記第１の耐火材料層に対して遠位にある、
難燃性マットレス。
【請求項２】
前記第１の耐火材料層に隣接した前記少なくとも１つの材料層は、可燃性である、
請求項１に記載の難燃性マットレス。
【請求項３】
前記第１の耐火材料層に隣接した前記少なくとも１つの材料層は、クッション材料である、
請求項１に記載の難燃性マットレス。
【請求項４】
前記第１の耐火材料層に隣接した前記少なくとも１つのクッション材料層は、発泡体製である、
請求項３に記載の難燃性マットレス。
【請求項５】
前記内部の支持区画は、バネ、空気、水、繊維、又は発泡体からなる群から選択される材料が埋め込まれた、
請求項１に記載の難燃性マットレス。
【請求項６】
前記第１の耐火材料層に隣接した前記少なくとも１つの材料層は、耐火性である、
請求項１に記載の難燃性マットレス。
【請求項７】
前記第１の耐火材料層は、バリアシート及び嵩高い綿シートの少なくとも１つである、
請求項１に記載の難燃性マットレス。
【請求項８】
前記第２の耐火材料層は、バリアシート及び嵩高い綿シートの少なくとも１つである、
請求項１に記載の難燃性マットレス。
【請求項９】
前記第１の耐火材料層は、本質的に繊維からなる、
請求項１に記載の難燃性マットレス。
【請求項１０】
前記繊維は、合成材料及び天然材料の少なくとも１つである、
請求項９に記載の難燃性マットレス。
【請求項１１】
前記第２の耐火材料層は、本質的に繊維からなる、
請求項１に記載の難燃性マットレス。
【請求項１２】
前記繊維は、合成材料及び天然材料の少なくとも１つである、
請求項１１に記載の難燃性マットレス。
【請求項１３】
前記第２の耐火材料層は、本質的に繊維からなる、
請求項９に記載の難燃性マットレス。
【請求項１４】
内部の支持区画と、
第１の繊維製である第１の耐火層であって、前記内部の支持区画の上部側に直接接触した、第１の耐火層と、
前記第１の耐火層に直接接触したクッション層と、
第２の繊維製である第２の耐火層であって前記クッション層と直接接触しており、かつ前記第１の耐火層に対して遠位にある、第２の耐火層と、
を含む難燃性マットレス。
【請求項１５】
前記クッション層は、可燃性である、
請求項１４に記載の難燃性マットレス。
【請求項１６】
前記クッション層は、耐火性化学物質で被覆される、
請求項１４に記載の難燃性マットレス。
【請求項１７】
前記クッション層は、発泡体製である、
請求項１４に記載の難燃性マットレス。
【請求項１８】
前記内部の支持区画は、バネ、空気、水、繊維、及び発泡体製からなる群から選択される材料が埋め込まれた、
請求項１４に記載の難燃性マットレス。
【請求項１９】
前記第１の繊維は、合成材料及び天然材料の少なくとも１つである、
請求項１４に記載の難燃性マットレス。
【請求項２０】
前記第１の繊維と前記第２の繊維とは、実質的に同様である、
請求項１４に記載の難燃性マットレス。
【請求項２１】
前記第１の及び第２の耐火層は、バリアシート及び嵩高い綿シートの少なくとも１つである、
請求項１４に記載の難燃性マットレス。
【請求項２２】
ほぼ平行六面体の形状を有する内部の支持区画と、
繊維から本質的になる第１の耐火層であって、前記内部の支持区画の上部側に直接接触した、第１の耐火層と、
前記第１の耐火層に直接接触した発泡体のクッション層と、
繊維から本質的になる第２の耐火層であって、前記発泡体のクッション層と直接接触した、第２の耐火層とを含む難燃性マットレスにおいて、
前記第１の耐火層及び前記第２の耐火層は、前記難燃性マットレスに完全に火が付くのを遅延させるよう、前記発泡体のクッション層の周囲に区画を形成する、
難燃性マットレス。
【請求項２３】
前記発泡体のクッション層は、耐火性化学物質で被覆される、
請求項２２に記載の難燃性マットレス。
【請求項２４】
前記内部の支持区画は、バネ、空気、水、繊維、及び発泡体からなる群から選択される材料が埋め込まれた、
請求項２２に記載の難燃性マットレス。
【請求項２５】
前記第１の耐火層は、バリアシート及び嵩高い綿シートの少なくとも１つである、
請求項２２に記載の難燃性マットレス。
【請求項２６】
前記第２の耐火層は、バリアシート及び嵩高い綿シートの少なくとも１つである、
請求項２２に記載の難燃性マットレス。
【国際調査報告】
2008513050.tif 000012